【手続補正書】
【提出日】平成18年6月28日(2006.6.28)
【手続補正１】
【補正対象書類名】明細書
【補正対象項目名】特許請求の範囲
【補正方法】変更
【補正の内容】
【特許請求の範囲】
【請求項１】  式（１）及び（２）：
【化１】
2000072979.tif 000001
（式中、
Ｂは、ベンゼン系列の基であり、
Ｄ1及びＤ2は、それぞれ他と独立に、ベンゼン又はナフタレン系列の基であり、
Ｖは、非置換又は置換アミノであり、
Ｘ1及びＸ2は、それぞれ他と独立に、下記式（３ａ）又は（３ｂ）：
【化２】
2000072979.tif 000002
（式中、
Ｈａｌは、ハロゲンである）で示される繊維−反応性基であり、そして
Ｙ1は、ハロゲンである）で示される反応性染料の少なくとも１種を；
式（４）、（５）及び（６）：
【化３】
2000072979.tif 000003
（式中、
（Ｒ1)0-2及び（Ｒ2)0-2は、それぞれ互いに独立して、Ｃ1−Ｃ4アルキル及びＣ1−Ｃ4アルコキシからなる群より選択される、０〜２個の同一又は異なる置換基であり、
ｐ及びｑは、それぞれ他と独立に、０、１又は２であり、
Ｘ3及びＸ4は、それぞれ他と独立に、水素又は式（３ａ）、（３ｂ）、（３ｃ）、（３ｄ）又は（３ｅ）：
【化４】
2000072979.tif 000004
（式中、
Ｈａｌ及びＹ2は、ハロゲンであり、
Ｚは、式−ＣＨ2ＣＨ2−Ｕ又は−ＣＨ＝ＣＨ2の基であり、そして
Ｕは、脱離基である）の繊維−反応性基である）
【化５】
2000072979.tif 000005
（式中、
Ｒ3は、水素又はＣ1−Ｃ4アルキルであり、
Ｒ4は、フェニルアミノ（これは、非置換、又はフェニル環が、Ｃ1−Ｃ4アルキル、Ｃ1−Ｃ4アルコキシ、ニトロ、ハロゲン又はスルホにより置換されている）であり、
（Ｒ5)0-2は、Ｃ1−Ｃ4アルキル及びＣ1−Ｃ4アルコキシからなる群より選択される、０〜２個の同一又は異なる置換基であり、
Ｘ5は、式（３ａ）、（３ｂ）、（３ｃ）又は（３ｄ）の繊維−反応性基であり、そして
Ｙ3は、ハロゲンである）、及び
【化６】
2000072979.tif 000006
（式中、
（Ｒ6)0-2及び（Ｒ7)0-2は、それぞれ互いに独立して、Ｃ1−Ｃ4アルキル及びＣ1−Ｃ4アルコキシからなる群より選択される、０〜２個の同一又は異なる置換基であり、そして、
Ｘ6及びＸ7は、それぞれ他と独立に、式（３ａ）、（３ｂ）、（３ｃ）又は（３ｄ）の繊維−反応性基である）の少なくとも１種の反応性染料と一緒に含む染料混合物であるが、ただし、その染料混合物が、式（８）：
【化７】
2000072979.tif 000007
の反応性染料を、式（４）（ここで、ｐ及びｑは、それぞれ０であり、Ｒ及びＲ2は、水素であり、そしてＸ2及びＸ3がβ−スルファトエチルスルホニルであるか、又はｐ及びｑは、それぞれ１であり、Ｒ及びＲ2は水素であり、そしてＸ2及びＸ3は、α，β−ジブロモプロピオニルアミノであり、式（４）の染料のＤ3及びＤ4がフェニル基である）の２種の染料の少なくとも１種とともに含む場合には、その染料混合物は、実質的な量の式（７）：
【化８】
2000072979.tif 000008
（式中、
Ｘa及びＸbは、それぞれ他と独立に、α，β−ジブロモプロピオニルアミノ、又はβ−スルファトエチルスルホニルであり、そして
ｍ及びｎの合計は、０又は１である）の反応性染料を含まないことを特徴とする染料混合物。
【請求項２】  Ｂが、フェニレンである、請求項１記載の染料混合物。
【請求項３】  Ｄ1及びＤ2が、それぞれ他と独立に、フェニル又はナフチルであり、そのそれぞれが、非置換又はＣ1−Ｃ4アルキル、Ｃ1−Ｃ4アルコキシ、Ｃ2−Ｃ4アルカノイルアミノ、スルホにより、若しくは式（３ａ）、（３ｂ）、（３ｃ）若しくは（３ｄ）の繊維−反応性基により置換されている、請求項１又は２記載の染料混合物。
【請求項４】  Ｄ1及びＤ2が、それぞれ他と独立に、フェニル（これは、非置換又はスルホ若しくは式（３ａ）若しくは（３ｂ）の繊維−反応性基により置換されている）である、請求項１〜３のいずれか１項記載の染料混合物。
【請求項５】  Ｖが、フェニルアミノ又はＮ−Ｃ1−Ｃ4アルキル−Ｎ−フェニルアミノであり、そのそれぞれが、非置換又はフェニル環がＣ1−Ｃ4アルキル、Ｃ1−Ｃ4アルコキシ、Ｃ2−Ｃ4アルカノイルアミノ、ハロゲン又はスルホにより置換されている、請求項１〜４のいずれか１項記載の染料混合物。
【請求項６】  Ｈａｌが、クロロ又はブロモである、請求項１〜５のいずれか１項記載の染料混合物。
【請求項７】  Ｄ3及びＤ4が、フェニル基である、請求項１〜６のいずれか１項記載の染料混合物。
【請求項８】  Ｕが、−Ｃｌ、−Ｂｒ、−Ｆ、−ＯＳＯ3Ｈ、−ＳＳＯ3Ｈ、−ＯＣＯ−ＣＨ3、−ＯＰＯ3Ｈ2、−ＯＣＯ−Ｃ6Ｈ5、−ＯＳＯ2−Ｃ1−Ｃ4アルキル又は−ＯＳＯ2−Ｎ（Ｃ1−Ｃ4アルキル)2である、請求項１〜７のいずれか１項記載の染料混合物。
【請求項９】  Ｕが、−Ｃｌ又は−ＯＳＯ3Ｈである、請求項１〜８のいずれか１項記載の染料混合物。
【請求項１０】  Ｙ1及びＹ2が、それぞれ他と独立に、フルオロ、クロロ又はブロモである、請求項１〜９のいずれか１項記載の染料混合物。
【請求項１１】  Ｘ3及びＸ4が、それぞれ他と独立に、式（３ａ）、（３ｂ）、（３ｃ）又は（３ｅ）の繊維−反応性基である、請求項１〜１０のいずれか１項記載の染料混合物。
【請求項１２】  Ｘ6及びＸ7が、それぞれ他と独立に、式（３ａ）、（３ｂ）又は（３ｃ）の繊維−反応性基である、請求項１〜１１のいずれか１項記載の染料混合物。
【請求項１３】  式（１）及び（２）の反応性染料の少なくとも１種を、式（４）の反応性染料の少なくとも１種と一緒に含む、請求項１〜１２のいずれか１項記載の染料混合物。
【請求項１４】  式（１ａ）及び（２ａ）：
【化９】
2000072979.tif 000009
（式中、
Ｘ1a、Ｘ2a及びＸ2bは、それぞれ互いに独立に、α，β−ジブロモプロピオニルアミノ又はα−ブロモアクリロイルアミノであり、そして
Ｒ8は、水素、メチル、又はエチルである）で示される反応性染料の少なくとも１種を、式（４ａ）、（４ｂ）及び（４ｃ）：
【化１０】
2000072979.tif 000010
（式中、
置換基Ｇ1及びＧ2の一つは、アミノであり、他は、ヒドロキシであり、
Ｘ3a、Ｘ4a及びＸ4bは、それぞれ互いに独立に、スルファトエチルスルホニル又はビニルスルホニルであり、そして
Ｘ3b、Ｘ3c及びＸ4cは、それぞれ互いに独立に、α，β−ジブロモプロピオニルアミノ又はα−ブロモアクリロイルアミノである）で示される反応性染料の少なくとも１種と一緒に含む、請求項１〜１３のいずれか１項記載の染料混合物。
【請求項１５】  式（１ａ）及び（２ａ）の反応性染料の少なくとも１種を、式（４ａ）の反応性染料の少なくとも１種と一緒に含む、請求項１４記載の染料混合物。
【請求項１６】  式（９）：
【化１１】
2000072979.tif 000011
（式中、
（Ｒ9)0-3は、Ｃ1−Ｃ4アルキル及びＣ1−Ｃ4アルコキシからなる群から選択される、０〜３個の同一又は異なる置換基であり、そして
Ｘ8は、式（３ａ）又は（３ｂ）の基である）で示される反応性染料の少なくとも１種を更に含む、請求項１〜１５のいずれか１項記載の染料混合物。
【請求項１７】  （Ｒ9)0-3が、０〜３個のメチル基であり、そしてＸ8が、α，β−ジブロモプロピオニルアミノ又はα−ブロモアクリロイルアミノである、請求項１６記載の染料混合物。
【請求項１８】  ヒドロキシル基−含有又は窒素−含有繊維材料を染色又は捺染するための方法であって、請求項１記載の染料混合物を用いることを特徴とする方法。
【請求項１９】  式（１０）：
【化１２】
2000072979.tif 000012
（式中、
Ｄは、式（１１ａ）又は（１１ｂ）：
【化１３】
2000072979.tif 000013
の基であり、
置換基Ｇ3及びＧ4の一つは、アミノであり、他は、ヒドロキシであり、
（Ｒ10)1-2は、Ｃ1−Ｃ4アルキル及びＣ1−Ｃ4アルコキシからなる群から選択される、１〜２個の同一又は異なる置換基であり、
（Ｒ11)0-2は、Ｃ1−Ｃ4アルキル及びＣ1−Ｃ4アルコキシからなる群から選択される、０〜２個の同一又は異なる置換基であり、
Ｘ9及びＸ11は、それぞれ他と独立に、β−スルファトエチルスルホニル又はビニルスルホニルであり、そして
Ｘ10は、α，β−ジブロモプロピオニルアミノ又はα−ブロモアクリロイルアミノである）で示される反応性染料。